(57)【要約】【課題】取外し可能モータを有する医用デバイスを提供すること。【解決手段】フレームであって、フレームがユーザハンドル、モータ受けエリア、およびフレームを貫通してモータ受けエリア内に続く第1の開口部を備え、モータ受けエリアが中にカニューレモータアセンブリを取外し可能に受けるように構成される、フレームと、フレームを貫通する第1の開口部の近傍に位置する第1のシールであって、カニューレモータアセンブリがモータ受けエリア内に位置する場合に、カニューレモータアセンブリとフレームとの間にシールを形成するように構成される、第1のシールとを備える、装置。【選択図】図２
2020124494.tif 000002
【特許請求の範囲】
【請求項１】
フレームであって、前記フレームは、ユーザハンドル、モータ受けエリア、および前記フレームを貫通してモータ受けエリア内に続く第1の開口部を備え、前記モータ受けエリアは、中にカニューレモータアセンブリを取外し可能に受けるように構成される、フレームと、
前記フレームを貫通する前記第1の開口部の近傍に位置する第1のシールであって、前記カニューレモータアセンブリが前記モータ受けエリア内に位置する場合に、前記カニューレモータアセンブリと前記フレームとの間にシールを形成するように構成される、第1のシールと
を備える、装置。
【請求項２】
前記ユーザハンドルは、前記フレームの底部から延在し、前記フレームの頂部が、前記フレームの前記頂部を通り前記モータ受けエリア内に前記カニューレモータアセンブリを挿入するための開口を備える、請求項1に記載の装置。
【請求項３】
前記第1の開口部は、カニューレモータアセンブリの駆動シャフトを貫通して延在させるようにサイズ設定および形状設定され、前記第1の開口部は、前記駆動シャフト上のコネクタピンを、前記第1の開口部を通り前記フレームのデブリーダ器具連結エリア内に通すことができるように構成される、請求項1に記載の装置。
【請求項４】
前記フレームは第2の開口部を備え、前記第2の開口部は、流体が前記第1の開口部および前記カニューレモータアセンブリの導管を通り前記第2の開口部から出るように流れることを可能にするために、前記第1の開口部と同軸状に整列された前記フレームを貫通する、請求項1に記載の装置。
【請求項５】
前記モータ受けエリアの近傍において前記フレーム上に可動ラッチをさらに備え、前記可動ラッチは、前記モータ受けエリア内に前記カニューレモータアセンブリを解除可能に保持するように構成される、請求項1に記載の装置。
【請求項６】
前記可動ラッチは、前記フレームに対して第1の位置に向かってばね付勢される、請求項5に記載の装置。
【請求項７】
前記可動ラッチは、前記カニューレモータアセンブリが前記モータ受けエリア内に挿入された場合に、前記カニューレモータアセンブリの駆動シャフトを貫通する導管と整列されるように構成された貫通する導管を備え、前記可動ラッチは、前記カニューレモータアセンブリが前記モータ受けエリア内に挿入された場合に、前記カニューレモータアセンブリと共にシールを形成するように構成された第2のシールをさらに備える、請求項5に記載の装置。
【請求項８】
前記可動ラッチは、前記可動ラッチと前記フレームを貫通する第2の開口部との間にシールを形成する第3のシールを備える、請求項7に記載の装置。
【請求項９】
前記モータ受けエリアの近傍において前記フレーム上に電気接触子をさらに備え、前記電気接触子は、前記カニューレモータアセンブリが前記モータ受けエリア内に挿入された場合に、前記カニューレモータアセンブリ上の電気接触子に接触するように構成される、請求項1に記載の装置。
【請求項１０】
前記フレームに対して取外し可能に連結されたカニューレモータアセンブリをさらに備え、前記カニューレモータアセンブリの駆動シャフトの一部分が、前記第1の開口部内に延在する、請求項1に記載の装置。
【請求項１１】
可動ラッチが、前記モータ受けエリア内に前記カニューレモータアセンブリを解除可能に保持する、請求項10に記載の装置。
【請求項１２】
前記モータ受けエリアに位置する電気接触子が、前記カニューレモータアセンブリ上の電気接触子に対して解消可能な電気接続を形成する、請求項10に記載の装置。
【請求項１３】
可動部材が、前記フレームと前記カニューレモータアセンブリとの間に設けられ、前記可動部材は、貫通する導管と、前記フレームに対して前記可動部材を封着するように構成された第2のシールと、前記カニューレモータアセンブリに対して前記可動部材を封着するように構成された第3のシールとを備え、前記可動部材は、流体が前記カニューレモータアセンブリから前記可動部材を通り前記フレームを貫通する第2の開口部から出て流れることを可能にするように構成される、請求項10に記載の装置。
【請求項１４】
前記可動部材は、前記フレームに対して第1の位置に向かってばね付勢される、請求項13に記載の装置。
【請求項１５】
回転可能駆動シャフトを備えるカニューレモータであって、前記回転可能駆動シャフトは、貫通する導管、およびデブリーダ器具に取外し可能に連結するように構成された第1の端部を備える、カニューレモータと、
前記カニューレモータ上のモータアセンブリハウジングであって、ハンドピースアセンブリのフレームに対して装着するように構成されたモータアセンブリハウジングと
を備え、
前記カニューレモータは、前記モータアセンブリハウジングが前記ハンドピースアセンブリを用いて前記カニューレモータを解除可能に保持する状態で、前記ハンドピースアセンブリのモータ受けエリア内に取外し可能に挿入されるように構成される、装置。
【請求項１６】
前記モータアセンブリハウジングは、前記装置の第1の端部に位置する第1のラッチ表面と前記装置の対向側の第2の端部に位置する第2のラッチ表面とを備え、前記第1のラッチ表面は、前記ハンドピースアセンブリの前記フレームに対してラッチ留めするように構成され、前記第2のラッチ表面は、前記ハンドピースアセンブリ上の可動ラッチにラッチ留めするように構成される、請求項15に記載の装置。
【請求項１７】
前記モータアセンブリハウジングは、前記カニューレモータからの熱を前記装置の外に伝達させることができるように構成された貫通する開口部を備える、請求項15に記載の装置。
【請求項１８】
前記装置は、前記ハンドピースアセンブリの頂部開口内に挿入され、デブリーダの上面の少なくとも一部分を形成するように構成される、請求項15に記載の装置。
【請求項１９】
前記回転可能駆動シャフトの第1の端部が、デブリーダ器具に解除可能に連結するための機械コネクタを備える、請求項15に記載の装置。
【請求項２０】
前記カニューレモータは、前記ハンドピースアセンブリ上の電気接触子に対して解消可能な電気接続を形成するように構成された電気接触子をさらに備える、請求項15に記載の装置。
【請求項２１】
ハンドピースアセンブリと、
前記ハンドピースアセンブリに対して取外し可能に連結された請求項15に記載の装置と
を備え、
前記ハンドピースアセンブリは、
フレームであって、前記フレームは、ユーザハンドル、モータ受けエリア、および前記フレームを貫通して前記モータ受けエリア内に続く第1の開口部を備え、前記モータ受けエリアは、中に取外し可能に配置された前記装置を有する、フレームと、
前記第1の開口部の近傍において前記フレーム上に配置された第1のシールであって、前記カニューレモータと前記フレームとの間にシールを形成する、第1のシールと
を備える、医用デバイス。
【請求項２２】
フレームを用意するステップであって、前記フレームは、ユーザハンドル、モータ受けエリア、および前記フレームを貫通し前記モータ受けエリア内に続く第1の開口部を備え、前記モータ受けエリアは、中にカニューレモータアセンブリを取外し可能に受けるように構成される、ステップと、
前記第1の開口部の近傍において前記フレームに対して第1のシールを連結するステップであって、前記第1のシールは、前記カニューレモータアセンブリが前記モータ受けエリア内に位置する場合に前記カニューレモータアセンブリと前記フレームとの間にシールを形成するように構成される、ステップと
を含む、方法。
【請求項２３】
前記フレームの頂部が、前記フレームの前記頂部を通り前記モータ受けエリア内に前記カニューレモータアセンブリを挿入するための開口を備え、前記シールは、前記開口への挿入により前記フレームに対して連結される、請求項22に記載の方法。
【請求項２４】
前記フレームを用意する前記ステップは、前記フレームが、前記第1の開口部と同軸状に整列された前記フレームを貫通する第2の開口部を備え、それにより流体が、前記第1の開口部および前記カニューレモータアセンブリの導管を通り前記第2の開口部から出て流れることが可能となることを含む、請求項22に記載の方法。
【請求項２５】
前記モータ受けエリアの近傍において前記フレーム上に可動ラッチを連結するステップをさらに含み、前記可動ラッチは、前記モータ受けエリア内に前記カニューレモータアセンブリを解除可能に保持するように構成される、請求項22に記載の方法。
【請求項２６】
前記可動ラッチは、前記フレームに対して第1の位置に向かってばね付勢される、請求項25に記載の方法。
【請求項２７】
前記可動ラッチは、前記カニューレモータアセンブリが前記モータ受けエリア内に挿入された場合に、前記カニューレモータアセンブリの駆動シャフトを貫通する導管に整列されるように構成された貫通する導管を備え、前記可動ラッチは、前記カニューレモータアセンブリが前記モータ受けエリア内に挿入された場合に、前記カニューレモータアセンブリと共にシールを形成するように構成された第2のシールをさらに備える、請求項25に記載の方法。
【請求項２８】
前記可動ラッチは、前記可動ラッチと前記フレームを貫通する第2の開口部との間にシールを形成する第3のシールを備える、請求項27に記載の方法。
【請求項２９】
前記モータ受けエリアの近傍において前記フレーム上の電気接触子に接続するステップをさらに含み、前記電気接触子は、前記カニューレモータアセンブリが前記モータ受けエリア内に挿入された場合に、前記カニューレモータアセンブリ上の電気接触子に接触するように構成される、請求項22に記載の方法。
【請求項３０】
前記フレームに対して前記カニューレモータアセンブリを取外し可能に連結するステップをさらに含み、前記カニューレモータアセンブリの駆動シャフトの一部分が、前記第1の開口部内に延在する、請求項22に記載の方法。
【請求項３１】
カニューレモータを用意するステップであって、前記カニューレモータは駆動シャフトを備え、前記駆動シャフトは、貫通する導管、およびデブリーダ器具に取外し可能に連結するように構成された前記駆動シャフトの第1の端部に位置するコネクタを備える、ステップと、
前記カニューレモータ上にモータアセンブリハウジングを設けるステップであって、前記モータアセンブリハウジングは、前記カニューレモータがハンドピースの受けエリア内に位置する状態において、前記モータアセンブリハウジングを解除可能に取り付けるためにハンドピースのラッチにより接触されるように構成されたラッチを備える、ステップと
を含む、方法。
【請求項３２】
前記カニューレモータが、前記ハンドピースの前記受けエリア内の電気接触子と解消可能な電気接続を形成することを可能にするように、前記カニューレモータに対して電気接触子を接続するステップをさらに含む、請求項31に記載の方法。
【請求項３３】
ハンドピースを用意するステップであって、前記ハンドピースはモータ受けエリアを形成するフレームを備え、前記フレームは前記フレームを貫通して前記モータ受けエリア内に続く第1の開口部を備え、前記フレームはユーザハンドルを備える、ステップと、
前記モータ受けエリア内にカニューレモータアセンブリを挿入するステップであって、シールが、前記カニューレモータアセンブリと前記ハンドピースとの間に設けられ、前記カニューレモータアセンブリは、可動ラッチにより前記ハンドピースに対して取外し可能に保持される、ステップと
を含む、方法。
【請求項３４】
前記モータ受けエリア内に前記カニューレモータアセンブリを挿入する前記ステップは、前記カニューレモータアセンブリが医用デバイスの上面の少なくとも一部分を形成するように、前記ハンドピースの前記フレームの頂部開口内に前記カニューレモータアセンブリを挿入するステップを含む、請求項33に記載の方法。
【請求項３５】
前記ハンドピースを用意する前記ステップは、前記フレーム上に可動ラッチを設けるステップを含み、前記モータ受けエリア内に前記カニューレモータアセンブリを挿入する前記ステップは、前記可動ラッチが、前記モータ受けエリア内に前記カニューレモータアセンブリを解除可能に保持するために前記カニューレモータアセンブリ上にラッチ留めすることを含む、請求項33に記載の方法。
【請求項３６】
前記可動ラッチは、前記可動ラッチ上に第2のシールおよび第3のシールを備え、前記可動ラッチは、貫通する導管を備え、前記可動ラッチを貫通する前記導管は、前記カニューレモータアセンブリが前記モータ受けエリア内に挿入された場合に、前記カニューレモータアセンブリの駆動シャフトを貫通する導管に整列し、前記第2のシールは、前記カニューレモータアセンブリが前記モータ受けエリア内に挿入された場合に、前記カニューレモータアセンブリと共にシールを形成し、前記第3のシールは、前記フレームを貫通する第2の開口部の位置にて前記フレームと共にシールを形成する、請求項35に記載の方法。
【請求項３７】
前記ハンドピースを用意する前記ステップは、前記ハンドピースの前記フレームが、前記モータ受けエリア内に電気接触子を備えることを含み、前記モータ受けエリア内に前記カニューレモータアセンブリを挿入する前記ステップは、前記カニューレモータアセンブリ上の電気接触子が、前記フレーム上の電気接触子と解消可能な電気接続を形成することを含む、請求項33に記載の方法。
【発明の詳細な説明】
【技術分野】
【０００１】
例示の非限定的な実施形態は、一般的には取外し可能モータを有するデバイスに、およびより詳細には医用デバイスに関する。
【背景技術】
【０００２】
デブリーダは、外方ブレードと外方ブレード内に位置する内方ブレードとを有する医用器具である。外科手技中に、これらのブレードの一方または両方が回転され、組織、軟骨、または骨等の物質が、これらのブレードの一方または両方の上に位置する切断特徴部によって削ぎ取り、切断、切除、アブレーション、および/または除去され得る。また、特許文献１に記載されるようなカニューレ駆動シャフトを有するカニューレモータが知られており、これは参照によりその全体が本明細書に組み込まれる。
【先行技術文献】
【特許文献】
【０００３】
【特許文献１】米国特許出願公開第2004/0059363A1号明細書
【発明の概要】
【課題を解決するための手段】
【０００４】
以下の概要は、単に例示として意図される。この概要は、特許請求の範囲を限定するように意図されない。
【０００５】
一態様によれば、一例の実施形態が、フレームであって、フレームがユーザハンドル、モータ受けエリア、およびフレームを貫通してモータ受けエリア内に続く第1の開口部を備え、モータ受けエリアが中にカニューレモータアセンブリを取外し可能に受けるように構成される、フレームと、フレームを貫通する第1の開口部の近傍に位置する第1のシールであって、カニューレモータアセンブリがモータ受けエリア内に位置する場合に、カニューレモータアセンブリとフレームとの間にシールを形成するように構成される、第1のシールとを備える、装置として提供される。
【０００６】
別の態様によれば、一例の実施形態が、回転可能駆動シャフトを備えるカニューレモータであって、回転可能駆動シャフトが、貫通する導管、およびデブリーダ器具に取外し可能に連結するように構成された第1の端部を備える、カニューレモータと、カニューレモータ上のモータアセンブリハウジングであって、ハンドピースアセンブリのフレームに対して装着するように構成されたモータアセンブリハウジングとを備える装置であって、カニューレモータが、モータアセンブリハウジングがハンドピースアセンブリを用いてカニューレモータを解除可能に保持する状態で、ハンドピースアセンブリのモータ受けエリア内に取外し可能に挿入されるように構成される、装置として提供される。
【０００７】
別の態様によれば、一例の方法が、フレームを用意するステップであって、フレームがユーザハンドル、モータ受けエリア、およびフレームを貫通しモータ受けエリア内に続く第1の開口部を備え、モータ受けエリアが中にカニューレモータアセンブリを取外し可能に受けるように構成される、ステップと、第1の開口部の近傍においてフレームに対して第1のシールを連結するステップであって、第1のシールが、カニューレモータアセンブリがモータ受けエリア内に位置する場合にカニューレモータアセンブリとフレームとの間にシールを形成するように構成される、ステップとを含む。
【０００８】
別の態様によれば、一例の方法が、カニューレモータを用意するステップであって、カニューレモータが駆動シャフトを備え、駆動シャフトが、貫通する導管、およびデブリーダ器具に取外し可能に連結するように構成された駆動シャフトの第1の端部に位置するコネクタを備える、ステップと、カニューレモータ上にモータアセンブリハウジングを設けるステップであって、モータアセンブリハウジングが、カニューレモータがハンドピースの受けエリア内に位置する状態において、モータアセンブリハウジングを解除可能に取り付けるためにハンドピースのラッチにより接触されるように構成されたラッチを備える、ステップとを含む。
【０００９】
別の態様によれば、一例の方法が、ハンドピースを用意するステップであって、ハンドピースがモータ受けエリアを形成するフレームを備え、フレームがフレームを貫通してモータ受けエリア内に続く第1の開口部を備え、フレームがユーザハンドルを備える、ステップと、モータ受けエリア内にカニューレモータアセンブリを挿入するステップであって、シールが、カニューレモータアセンブリとハンドピースとの間に設けられ、カニューレモータアセンブリが、可動ラッチによりハンドピースに対して取外し可能に保持される、ステップとを含む。
【００１０】
前述の態様および他の特徴が、添付の図面に関連してなされる以下の詳細な説明において述べられる。
【図面の簡単な説明】
【００１１】
【図１】本明細書において説明されるいくつかの特徴を備える装置の一例の実施形態の概略側面図である。
【図２】図1に示す装置の構成要素の中のいくつかの拡大側面図である。
【図３】図2に示すハンドピースアセンブリの概略断面図である。
【図４】図2〜図3に示す可動ラッチの斜視図である。
【図５】図2に示すカニューレモータアセンブリの斜視図である。
【図６】図5に示すカニューレモータアセンブリの後方端面図である。
【発明を実施するための形態】
【００１２】
図1を参照すると、一例の実施形態の特徴を組み込んだ装置10の概略側面図が示される。これらの特徴は、図面に示す例示の実施形態を参照として説明されるが、多数の他の形の実施形態において具現化され得る点を理解されたい。さらに、任意の適切なサイズ、形状、もしくはタイプの要素または材料が使用され得る。
【００１３】
この例の実施形態では、装置10は、医用デバイスであり、より具体的にはデブリーダまたはマイクロデブリーダである。しかし、本明細書において説明されるような特徴は、他のタイプのデバイスと共に使用されてもよい。装置10は、使い捨て型ハンドピースアセンブリ12、再利用可能型カニューレモータアセンブリ14、および取外し可能/使い捨て型外科器具16を一般的に備える。この例では、外科器具16は、デブリーダとして使用され、外方ブレードと外方ブレード内に位置する内方ブレードとを備える。外科手技の最中に、これらのブレード18の一方または両方が、カニューレモータアセンブリ14のモータにより軸回転される。したがって、ブレード18の一方または両方の上の切断特徴部が、組織、軟骨、または骨等を削ぎ取り、切断、切除、アブレーション、および/または除去することが可能である。外科器具16は、貫通する導管またはチャネル17を設けるようにその長さ部分に沿ってほぼ管状形状を有する。この導管またはチャネル17は、患者から切断された物質および流体が手術部位から離れるように装置10により吸引されることを可能にするために外科器具16を貫通して設けられる。吸引導管20が、ハンドピースアセンブリ12の近位端部に対して装着される。以下でさらに説明されるように、ハンドピースアセンブリ12およびカニューレモータアセンブリ14は、吸引導管20に対して器具導管17を連結するための導管を有する。また、装置10は、ハンドピースアセンブリ12の近位端部に対して装着された導電体を備えるケーブル22を備える。ケーブル22は、以下でさらに説明されるようにカニューレモータアセンブリ14に対して電力および信号を供給し得る。
【００１４】
また、図2を参照すると、カニューレモータアセンブリ14は、ハンドピースアセンブリ12に対して取外し可能に連結される。特に、この例の実施形態では、ハンドピースアセンブリ12およびカニューレモータアセンブリ14は、カニューレモータアセンブリ14が、矢印Aおよび矢印Bならびに破線指示部14により示すように、ハンドピースアセンブリ12の頂部に挿入され、次いでハンドピースアセンブリ12内の固定位置にラッチ留めされ得るように構成される。このラッチ係合は、カニューレモータアセンブリ14がハンドピースアセンブリ12から後に取り外されることを可能にするように解除可能である。カニューレモータアセンブリ14は、ハンドピースアセンブリ12とは別個に洗浄され得るものであり、ハンドピースアセンブリ12は、使用後に使い捨て可能なものであり得る。
【００１５】
また、図3を参照すると、ハンドピースアセンブリ12は、フレーム24、可動ラッチ26、および電気接触子28を一般的に備える。この例の実施形態では、フレーム24は、装置10を保持するためのユーザハンドルを形成するプラスチック材料またはポリマー材料から作製された単体部材を備える。図2および図3は、ユーザハンドルが、フレーム24の底面から延在するピストルグリップタイプ延在部30を備え得ることを示す。しかし、ピストルグリップタイプ延在部30は、図1により示されるように設けられなくてもよい。この例の実施形態では、フレーム24は、モータ受けエリア32、第1の開口部34、および第2の開口部36を備える。モータ受けエリア32は、中にカニューレモータアセンブリ14を取外し可能に受けるようにサイズ設定および形状設定される。第1の開口部34は、フレームの遠位端部とモータ受けエリア32との間でフレーム24を貫通して延在する。第2の開口部36は、モータ受けエリア32とフレーム24の近位端部との間でフレーム24を貫通して延在する。第1の開口部34および第2の開口部36は、同軸状に整列される。電気接触子28は、この例の実施形態ではモータ受けエリア32の底部に位置し、ケーブル22の導電体が接続される。電気接触子28は、例えば導体パッドまたはばね接点などを備え得る。ストレインリリーフ38が、ケーブル22のためのチャネル40に設けられ得る。モータ受けエリア32内のエリア42が、電気接触子28に続く導電体用のケーブル格納部として機能し得る。
【００１６】
この例の実施形態では、第1のシール44が、第1の開口部34の近傍においてモータ受けエリア32に設けられる。この例では、第1のシール44は、第1の開口部34内に固定的に取り付けられるシールホルダ46上に取り付けられる。シールホルダ46は、開口部48を有し、それによりカニューレモータアセンブリ14の一部分が、この開口部48を通りエリア50内へと延在することが可能となる。エリア50は、外科器具の近位端部がカニューレモータアセンブリ14に対して取外し可能に装着されるのを可能にするための位置を形成する。第1のシール44は、カニューレモータアセンブリ14の近位端部と共にシールを形成することにより、カニューレモータアセンブリ14がモータ受けエリア32に挿入された場合に開口部48を通り延在するカニューレモータアセンブリ14の駆動シャフトを囲み得るように、カニューレモータアセンブリ14に対して配置される。図示する実施形態では、第1のシール44は、リップシールである。しかし、例えばOリングなどの任意の適切なタイプのシールが設けられてもよい。
【００１７】
モータ受けエリア32は、フレーム24の上面で開口し、この例の実施形態では、サイドリップ52を除いてフレーム24の側面でも実質的に開口する。フレーム24は、フレーム24の側面にてモータ受けエリア32の前方端部で後方に突出する固定ラッチ54を有する。第2の開口部36は、吸引ホース嵌着部が装着されるように構成されたねじ山部分56を有する。第2の開口部36の別の部分58が、平滑ボアを有する。
【００１８】
また、図4を参照すると、可動ラッチ26は、フレーム60、第2のシール62、および第3のシール64を一般的に備える。フレーム60は、好ましくはプラスチック材料またはポリマー材料を含む単体部材である。フレーム60は、主要セクション66と、主要セクション66から延在する延在部68と、主要セクション66上の2つの側方スライド70と、主要セクション66および延在部68を貫通して延在するチャネルまたは導管72とを備える。延在部68は、第2の開口部36の平滑ボア部分58の内部に摺動可能に配置される。例えばOリングなどの第3のシール64は、延在部68の上に位置し、第2の開口部36の平滑ボア部分58に係合する。第2のシール62は、チャネル72への進入部の周囲において溝74にてフレーム60の近位端部に位置する。図示する実施形態では、第2のシール62はリップシールである。しかし、例えばOリングなどの任意の適切なタイプのシールが設けられてもよい。第2のシール62は、カニューレモータアセンブリ14の近位端部に係合し、カニューレモータアセンブリ14から第2の開口部36内への吸引流を収容するためにラッチ26とカニューレモータアセンブリ14との間にシールを形成するように構成される。可動ラッチ26を貫通する導管72は、カニューレモータアセンブリ14から導管72を通り第2の開口部36を通り吸引導管20から出る流れを可能にするように、第2の開口部36と整列される。
【００１９】
側方スライド70の下部表面は、ハンドピースアセンブリ12のフレーム24の対応する表面76上を摺動するように配置される。側方スライド70の前方端部は、ラッチ表面78を有する。側方スライド70の後方端部は、弾性カンチレバーばねレッグ80を有する。ばねレッグ80は、フレーム24の一部分に係合してフレーム24に対して前方へと可動ラッチを付勢する。しかし、可動ラッチ26は、カニューレモータアセンブリ14がモータ受けエリア32に挿入されつつある間に、カニューレモータアセンブリ14の経路外へと弾性的に移動され、後に次いで弾性的に偏向するばねレッグ80により前方位置へとスナップバックして、モータ受けエリア32内の固定位置にカニューレモータアセンブリ14をラッチ留めするように構成される。しかし、これは、単なる一例の実施形態に過ぎない。代替的な例の実施形態では、他のタイプのラッチおよび付勢手段またはばねが設けられてもよい。
【００２０】
また、図5〜図6を参照すると、カニューレモータアセンブリ14は、電気モータ82およびモータアセンブリハウジング84を一般的に備える。モータ82は、ハウジング86、ステータ88、およびロータまたは駆動シャフト90を備えるカニューレモータである。駆動シャフト90は、その長手方向軸に沿って貫通する導管またはチャネル92を有する。ステータは、その長手方向軸を中心として駆動シャフト90を軸回転させるように構成される。代替的な例の一実施形態では、モータは、長手方向軸に沿って駆動シャフトを往復運動させるような構成を備える。この例の実施形態では、カニューレモータアセンブリ14は、底面上に電気接触子94も備える。駆動シャフト90は、外科器具16の端部が取外し可能に連結されるように構成された機械コネクタ98を有する遠位端部96を有する。この例では、機械コネクタ98は、取付けピンを備える。
【００２１】
モータアセンブリハウジング84は、例えばプラスチック材料またはポリマー材料を含むものであってもよい。図示する例の実施形態では、モータアセンブリハウジング84は、使用後に廃棄され得るように電気モータ82に対して取外し可能に装着される。しかし、代替例では、モータアセンブリハウジング84は、電気モータ82に対して取外し可能に装着されなくてもよい。図示する例の実施形態では、モータアセンブリハウジング84は、モータアセンブリハウジング84の第1の端部上の第1の端部ラッチ100と、モータアセンブリハウジング84の対向側の第2の端部上の第2の端部ラッチ102とを備える。モータアセンブリハウジング84の2つの端部の間に、冷却スロットまたは冷却穴104が、モータアセンブリハウジング84の上面の近傍においてモータアセンブリハウジング84を貫通して設けられ、両側面に沿って下方に延在する。これらの冷却スロットまたは冷却穴104は、装置10の上面にて電気モータ82から熱を放散させることを可能にする。
【００２２】
上記のように、カニューレモータアセンブリ14は、ハンドピースアセンブリ12に対して取外し可能に連結される。この特定の例の実施形態では、コネクタ98を有するカニューレモータアセンブリ14の第1の端部は、駆動シャフト90の遠位端部96が開口部34、48内に延在する状態で、図2の矢印Aにより示すようにモータ受けエリア32内に挿入または摺入される。第1の端部ラッチ100が、固定ラッチ54に係合し、カニューレモータアセンブリ14が、図2で矢印Bにより示すように下方に回転される。第1のシール44は、モータ82のハウジング86に係合し、駆動シャフトの遠位端部の周囲にシールを形成することが可能である。
【００２３】
カニューレモータアセンブリ14が下方に回転されると、可動ラッチ26は、モータアセンブリハウジング84により係合され、このモータアセンブリハウジング84が、図2に示すような方向Cへと可動ラッチ26を移動させる。ばねレッグ80は、可動ラッチ26のこの移動Cの最中に弾性的に偏向することが可能である。次いで、第2の端部ラッチ102は、可動ラッチ26のラッチ表面78の下方を通過し、ばねレッグ80は、可動ラッチ26を前方位置へと付勢して戻し、この時カニューレモータアセンブリ14は、可動ラッチ26によりハンドピースアセンブリ12に対してラッチ留めされる。可動ラッチ26上のシール62が、チャネル92と第2の開口部36との間を封止するようにハウジング86と封止係合する。2つのセットの電気接触子28、94は、カニューレモータアセンブリ14に対する電力および信号の供給を可能にするために相互に電気接続する。モータアセンブリハウジング84が、モータ82の上面および2つの側面の周囲で囲まれるため、モータアセンブリハウジング84は、モータ受けエリア32内にモータ82を取外し可能に保持することが可能となる。
【００２４】
装置10の使用後に、ユーザが、カニューレモータアセンブリ14から可動ラッチ26を係合解除させるように方向Cに可動ラッチ26を引き、方向Bとは逆に上方へとカニューレモータアセンブリ14を回転させ、方向Aとは逆にモータ受けエリア32からカニューレモータアセンブリ14を引き出すことにより、連結プロセスが反転実施され得る。次いで、ハンドピースアセンブリ12は廃棄され、モータアセンブリハウジング84は廃棄され、モータ82は新しいハンドピースアセンブリ12および新しいモータアセンブリハウジング84と共に再利用するために洗浄され得る。
【００２５】
一例の実施形態が、カニューレモータおよびハンドピースを備える医用デバイスとして提供され得る。カニューレモータは、ハンドピース内に脱着可能/解除可能に配設されるように構成される(ハンドピースから取外し可能/係合解除可能である)。
【００２６】
一例の実施形態が、カニューレモータと、開ポケット/ソケットを有するハンドピースとを備える医用デバイスとして提供され得る。ハンドピースは、開ポケット/ソケット内にカニューレモータを脱着可能に収容する/受けるように構成される。
【００２７】
一例の実施形態が、ハンドピースと、カニューレモータと、カニューレモータを(脱着可能に/固定的に)保持する/受けるように構成されたモータケーシングとを備える医用デバイスとして提供され得る。モータケーシングは、ハンドピース内に脱着可能に配設されるように構成され、カニューレモータが電源と電気接続され得るように構成される。
【００２８】
一例の実施形態が、ハンドピースと、ハンドピース内に脱着可能に配設されるように構成されたカニューレモータと、保持具/カプラとを備える医用デバイスとして提供され得る。保持具/カプラは、ハンドピース内にカニューレモータを解除可能に固定するように構成される。
【００２９】
一例の実施形態が、ハンドピースと、カニューレモータと、カニューレモータを保持する/受けるように構成されたモータケーシングであって、ハンドピース内に脱着可能に配設されるように構成されたモータケーシングと、保持具/カプラであって、ハンドピース内にモータケーシングを脱着可能に固定するように構成された保持具/カプラとを備える医用デバイスとして提供され得る。
【００３０】
一例の実施形態が、カニューレモータと、カニューレモータを脱着可能に収容する/受けるように構成されたハンドピースと、カニューレモータに対して(脱着可能に/固定的に)動作自在に連結されるように構成された外科器具とを備える医用デバイスとして提供され得る。カニューレモータは、電源と電気接続状態にある場合に、外科器具を駆動するように構成される。
【００３１】
一例の実施形態が、フレームであって、ユーザハンドル、モータ受けエリア、およびフレームを貫通してモータ受けエリア内へ続く第1の開口部を備え、モータ受けエリアがカニューレモータアセンブリを取外し可能に中に受けるように構成された、フレームと、フレームを貫通する第1の開口部の近傍に位置する第1のシールであって、カニューレモータアセンブリがモータ受けエリア内に位置する場合にカニューレモータアセンブリとフレームとの間にシールを形成するように構成された第1のシールとを備える装置として提供され得る。
【００３２】
ハンドルは、フレームの底部から延在し、フレームの頂部は、フレームの頂部を貫通してモータ受けエリア内にカニューレモータアセンブリを挿入するための開口を備える。第1の開口部は、カニューレモータアセンブリの駆動シャフトを貫通して延在させるようにサイズ設定および形状設定されてもよく、第1の開口部は、駆動シャフト上のコネクタピンを、第1の開口部を通りフレームのデブリーダ器具連結エリア内に通し得るように構成される。フレームは、流体が第1の開口部およびカニューレモータアセンブリの導管を通り第2の開口部から出るように流れることを可能にするために、第1の開口部と同軸状に整列されたフレームを貫通する第2の開口部を備え得る。装置は、モータ受けエリアの近傍のフレーム上に可動ラッチをさらに備えてもよく、このラッチは、モータ受けエリア内にカニューレモータアセンブリを解除可能に保持するように構成される。可動ラッチは、フレームに対して第1の位置に向かってばね付勢され得る。可動ラッチは、貫通する導管を備えてもよく、この導管は、カニューレモータアセンブリがモータ受けエリア内に挿入された場合に、カニューレモータアセンブリの駆動シャフトを貫通する導管に整列されるように構成され、可動ラッチは、カニューレモータアセンブリがモータ受けエリア内に挿入された場合に、カニューレモータアセンブリと共にシールを形成するように構成された第2のシールをさらに備えてもよい。可動ラッチは、ラッチとフレームを貫通する第2の開口部との間にシールを形成する第3のシールを備え得る。装置は、モータ受けエリアの近傍のフレーム上に電気接触子をさらに備えてもよく、これらの電気接触子は、カニューレモータアセンブリがモータ受けエリア内に挿入された場合に、カニューレモータアセンブリ上の電気接触子に接触するように構成される。装置は、フレームに対して取外し可能に連結されたカニューレモータアセンブリをさらに備えてもよく、カニューレモータアセンブリの駆動シャフトの一部分が、第1の開口部内に延在する。可動ラッチが、モータ受けエリア内にカニューレモータアセンブリを解除可能に保持し得る。モータ受けエリアに位置する電気接触子により、カニューレモータアセンブリ上の電気接触子に対する解消可能な電気接続が形成され得る。可動部材が、フレームとカニューレモータアセンブリとの間に設けられてもよく、可動部材は、貫通する導管と、フレームに対して可動部材を封着するように構成された第2のシールと、カニューレモータアセンブリに対して可動部材を封着するように構成された第3のシールとを備え、可動部材は、流体がカニューレモータアセンブリから可動部材を通りフレームを貫通する第2の開口部から出て流れることを可能にするように構成される。可動部材は、フレームに対して第1の位置に向かってばね付勢され得る。
【００３３】
一例の実施形態が、回転可能駆動シャフトを備えるカニューレモータであって、回転可能駆動シャフトが、貫通する導管、およびデブリーダ器具に取外し可能に連結するように構成された第1の端部を備える、カニューレモータと、カニューレモータ上のモータアセンブリハウジングとを備える装置として提供され得る。モータアセンブリハウジングは、ハンドピースアセンブリのフレームに対して装着するように構成され、カニューレモータは、モータアセンブリハウジングがハンドピースアセンブリを用いてカニューレモータを解除可能に保持する状態で、ハンドピースアセンブリのモータ受けエリア内に取外し可能に挿入されるように構成される。
【００３４】
モータアセンブリハウジングは、装置の第1の端部に位置する第1のラッチ表面と、装置の対向側の第2の端部に位置する第2のラッチ表面とを備えてもよく、第1のラッチ表面は、ハンドピースアセンブリのフレームに対してラッチ留めするように構成され、第2のラッチ表面は、ハンドピースアセンブリ上の可動ラッチにラッチ留めするように構成される。モータアセンブリハウジングは、カニューレモータからの熱を装置外に伝達させ得るように構成された貫通する開口部を備え得る。装置は、ハンドピースアセンブリの頂部開口内に挿入され、デブリーダの上面の少なくとも一部分を形成するように構成され得る。駆動シャフトの第1の端部が、デブリーダ器具を解除可能に連結するための機械コネクタを備え得る。カニューレモータは、ハンドピースアセンブリ上の電気接触子に対する解消可能な電気接続を形成するように構成された電気接触子をさらに備え得る。
【００３５】
一例の実施形態が、ハンドピースアセンブリと、ハンドピースアセンブリに対して取外し可能に連結された上述のような装置とを備える医用デバイスとして提供され得る。ハンドピースアセンブリは、フレームであって、このフレームが、ユーザハンドル、モータ受けエリア、およびフレームを貫通してモータ受けエリア内に続く第1の開口部を備え、モータ受けエリアが、取外し可能に内部に配置された装置を有する、フレームと、第1の開口部の近傍においてフレーム上に配置された第1のシールであって、カニューレモータとフレームとの間にシールを形成する第1のシールとを備える。
【００３６】
一例の方法が、フレームを用意するステップであって、フレームが、ユーザハンドル、モータ受けエリア、およびフレームを貫通してモータ受けエリア内に続く第1の開口部を備え、モータ受けエリアが、カニューレモータアセンブリを取外し可能に中に受けるように構成される、ステップと、第1の開口部の近傍においてフレームに対して第1のシールを連結するステップであって、第1のシールが、カニューレモータアセンブリがモータ受けエリア内に位置する場合に、カニューレモータアセンブリとフレームとの間にシールを形成するように構成される、ステップとを含み得る。
【００３７】
フレームの頂部が、フレームの頂部を通りモータ受けエリア内にカニューレモータアセンブリを挿入するための開口を備えてもよく、シールは、この開口への挿入によりフレームに対して連結される。フレームを用意するステップは、フレームが、第1の開口部と同軸状に整列されたフレームを貫通する第2の開口部を備えることにより、流体が、第1の開口部およびカニューレモータアセンブリの導管を通り第2の開口部から外に流れることが可能となることを含む。この方法は、モータ受けエリアの近傍においてフレーム上に可動ラッチを連結するステップを含んでもよく、ラッチは、モータ受けエリア内にカニューレモータアセンブリを解除可能に保持するように構成される。可動ラッチは、フレームに対して第1の位置に向かってばね付勢され得る。可動ラッチは、貫通する導管を備えてもよく、この導管は、カニューレモータアセンブリがモータ受けエリア内に挿入された場合に、カニューレモータアセンブリの駆動シャフトを貫通する導管と整列されるように構成される。可動ラッチは、カニューレモータアセンブリがモータ受けエリア内に挿入された場合に、カニューレモータアセンブリと共にシールを形成するように構成された第2のシールをさらに備える。可動ラッチは、ラッチとフレームを貫通する第2の開口部との間にシールを形成する第3のシールを備え得る。この方法は、モータ受けエリアの近傍においてフレーム上の電気接触子を接続させるステップをさらに含んでもよく、これらの電気接触子は、カニューレモータアセンブリがモータ受けエリア内に挿入された場合に、カニューレモータアセンブリ上の電気接触子と接触するように構成される。この方法は、フレームに対してカニューレモータアセンブリを取外し可能に連結するステップをさらに含んでもよく、カニューレモータアセンブリの駆動シャフトの一部分が、第1の開口部内に延在する。
【００３８】
一例の方法が、カニューレモータを用意するステップであって、カニューレモータが駆動シャフトを備え、駆動シャフトが、貫通する導管、およびデブリーダ器具を取外し可能に連結するように構成された駆動シャフトの第1の端部に位置するコネクタを有する、ステップと、カニューレモータ上にモータアセンブリハウジングを設けるステップであって、モータアセンブリハウジングが、カニューレモータがハンドピースの受けエリア内に位置する状態において、モータアセンブリハウジングを解除可能に取り付けるためにハンドピースのラッチにより接触されるように構成されたラッチを備える、ステップとを含み得る。この方法は、カニューレモータがハンドピースの受けエリア内の電気接触子と解消可能な電気接続を形成することを可能にするように、カニューレモータに対して電気接触子を接続するステップをさらに含み得る。
【００３９】
一例の方法が、ハンドピースを用意するステップであって、ハンドピースがモータ受けエリアを形成するフレームを備え、フレームがフレームを貫通してモータ受けエリア内に続く第1の開口部を備え、フレームがユーザハンドルを備える、ステップと、モータ受けエリア内にカニューレモータアセンブリを挿入するステップであって、シールがカニューレモータアセンブリとハンドピースとの間に設けられ、カニューレモータアセンブリが可動ラッチによりハンドピースに対して取外し可能に保持される、ステップとを含み得る。モータ受けエリア内にカニューレモータアセンブリを挿入するステップは、カニューレモータアセンブリが医用デバイスの上面の少なくとも一部分を形成するように、ハンドピースのフレームの頂部開口にカニューレモータアセンブリを挿入するステップを含み得る。ハンドピースを用意するステップは、フレーム上に可動ラッチを設けるステップを含んでもよく、モータ受けエリア内にカニューレモータアセンブリを挿入するステップは、モータ受けエリア内にカニューレモータアセンブリを解除可能に保持するように、ラッチがカニューレモータアセンブリ上にラッチ留めすることを含む。ラッチは、可動ラッチ上に第2のシールおよび第3のシールを備えてもよく、可動ラッチは、貫通する導管を備え、ラッチを貫通する導管は、カニューレモータアセンブリがモータ受けエリア内に挿入された場合に、カニューレモータアセンブリの駆動シャフトを貫通する導管と整列し、第2のシールは、カニューレモータアセンブリがモータ受けエリア内に挿入された場合に、カニューレモータアセンブリと共にシールを形成し、第3のシールは、フレームを貫通する第2の開口部にてフレームと共にシールを形成する。ハンドピースを用意するステップは、ハンドピースのフレームがモータ受けエリア内に電気接触子を備えることを含んでもよく、モータ受けエリア内にカニューレモータアセンブリを挿入するステップは、カニューレモータアセンブリ上の電気接触子が、フレーム上の電気接触子と解消可能な電気接続を形成することを含む。
【００４０】
一例の実施形態では、ハンドピースが2つの主要構成要素を、すなわちハンドピースアセンブリとカニューレモータアセンブリとを有する設計が提供され得る。ハンドピースは、前後にカニューレモータ用の封止特徴部を備えるレシーバハウジングから構成される完全使い捨て型アセンブリであってもよい。この封止特徴部は、例えば既製品のリップシールまたは静的Oリングであってもよい。それは、カニューレモータが装填された場合にモータ信号および電源を接続するためのカスタム設計された電気接触パッドを有してもよい。それは、ストレインリリーフとの電気ケーブル用の接続と、これらのケーブルを送るための空間とを有してもよい。それは、カニューレモータ中空シャフトと軸方向に直線状となる既製品の吸引コネクタ用のねじ連結部を有してもよく、最後に、それは、モータを受ける、モータを返す、およびモータを保持するように再セットするために後退する一体型ばね付きラッチを有してもよい。
【００４１】
ラッチは、シール溝と、モータの中空シャフトに対してやはり軸方向に整列された吸引経路とを有し得る。このラッチは、ハウジングの上にスナップ嵌めされ、組立中に自己保持し得る単体設計であってもよい。
【００４２】
カニューレモータは、例えばPEEK材料などの使い捨て型非金属ハウジング内に挿入される独立型モータアセンブリであってもよい。モータアセンブリは、CDSすなわち洗浄(cleaning)、消毒(disinfecting)、および滅菌(sterilizing)のプロセスにより完全に再利用可能なものであってもよい。滅菌可能モータは、その製造業者により通常は保証され、500〜800サイクルにわたるオートクレーブ(加圧および加熱)の使用に耐える。使い捨て型モータハウジングは、モータ信号および電源用の電気接触のための端子を組み込み得る。この設計は、モータに由来する熱を放散するために頂部上に開口リブ設計を組み込み得る。この非金属ハウジングは、使い捨て型パッケージの構成要素であることが可能であり、モータは、使用のためにこのハウジングに摺入され得る。モータは、ハンドピースアセンブリに対して組み付けられ定位置に装填されると自動整列し得る。中空シャフトは、回転機能または振動機能のためにブレード係合を許容するようなピン設計を有し得る。使用後に、モータおよびモータハウジングは、ラッチを後方へと引くことによりラッチを解除することおよびしたがってモータハウジングをラッチ解除することによって取り外されることが可能となり、洗浄、消毒、および滅菌のために再処理される。ケーブルおよびチューブセットを有する1回使用型ハンドピースハウジングアセンブリならびにモータハウジングが、次いで廃棄され得る。
【００４３】
一例の実施形態が、フレームであって、フレームがユーザハンドル、モータ受けエリア、およびフレームを貫通してモータ受けエリア内に続く第1の開口部を備え、モータ受けエリアが中にカニューレモータアセンブリを取外し可能に受けるように構成される、フレームと、フレームを貫通する第1の開口部の近傍に位置する第1のシールであって、カニューレモータアセンブリがモータ受けエリア内に位置する場合にカニューレモータアセンブリとフレームとの間にシールを形成するように構成された第1のシールとを備える、装置として提供され得る。
【００４４】
ハンドルは、フレームの底部から延在してもよく、フレームの頂部は、フレームの頂部を通りモータ受けエリア内にカニューレモータアセンブリを挿入するための開口を備えてもよい。第1の開口部は、カニューレモータアセンブリの駆動シャフトを貫通して延在させるようにサイズ設定および形状設定されてもよく、第1の開口部は、駆動シャフト上のコネクタピンを、第1の開口部を通りフレームのデブリーダ器具連結エリア内に通し得るように構成され得る。フレームは、流体が第1の開口部およびカニューレモータアセンブリの導管を通り第2の開口部から出るように流れることを可能にするために、第1の開口部と同軸状に整列されたフレームを貫通する第2の開口部を備え得る。装置は、モータ受けエリアの近傍のフレーム上に可動ラッチをさらに備えてもよく、このラッチは、モータ受けエリア内にカニューレモータアセンブリを解除可能に保持するように構成される。可動ラッチは、フレームに対して第1の位置に向かってばね付勢され得る。可動ラッチは、貫通する導管を備えてもよく、この導管は、カニューレモータアセンブリがモータ受けエリア内に挿入された場合に、カニューレモータアセンブリの駆動シャフトを貫通する導管に整列されるように構成され、可動ラッチは、カニューレモータアセンブリがモータ受けエリア内に挿入された場合に、カニューレモータアセンブリと共にシールを形成するように構成された第2のシールをさらに備えてもよい。可動ラッチは、ラッチとフレームを貫通する第2の開口部との間にシールを形成する第3のシールを備え得る。装置は、モータ受けエリアの近傍のフレーム上に電気接触子をさらに備えてもよく、電気接触子は、カニューレモータアセンブリがモータ受けエリア内に挿入された場合に、カニューレモータアセンブリ上の電気接触子に接触するように構成される。装置は、フレームに対して取外し可能に連結されたカニューレモータアセンブリをさらに備えてもよく、カニューレモータアセンブリの駆動シャフトの一部分が、第1の開口部内に延在する。可動ラッチが、モータ受けエリア内にカニューレモータアセンブリを解除可能に保持し得る。モータ受けエリアに位置する電気接触子により、カニューレモータアセンブリ上の電気接触子に対する解消可能な電気接続が形成され得る。可動部材が、フレームとカニューレモータアセンブリとの間に設けられてもよく、可動部材は、貫通する導管と、フレームに対して可動部材を封着するように構成された第2のシールと、カニューレモータアセンブリに対して可動部材を封着するように構成された第3のシールとを備え、可動部材は、流体がカニューレモータアセンブリから可動部材を通りフレームを貫通する第2の開口部から出て流れることを可能にするように構成される。可動部材は、フレームに対して第1の位置に向かってばね付勢され得る。
【００４５】
一例の実施形態が、回転可能駆動シャフトを備えるカニューレモータであって、回転可能駆動シャフトが、貫通する導管、およびデブリーダ器具に取外し可能に連結するように構成された第1の端部を備える、カニューレモータと、カニューレモータ上のモータアセンブリハウジングとを備える装置として提供され得る。モータアセンブリハウジングは、ハンドピースアセンブリのフレームに対して装着するように構成され、カニューレモータは、モータアセンブリハウジングがハンドピースアセンブリを用いてカニューレモータを解除可能に保持する状態で、ハンドピースアセンブリのモータ受けエリア内に取外し可能に挿入されるように構成される。
【００４６】
モータアセンブリハウジングは、装置の第1の端部に位置する第1のラッチ表面と、装置の対向側の第2の端部に位置する第2のラッチ表面とを備えてもよく、第1のラッチ表面は、ハンドピースアセンブリのフレームに対してラッチ留めするように構成され、第2のラッチ表面は、ハンドピースアセンブリ上の可動ラッチにラッチ留めするように構成される。モータアセンブリハウジングは、カニューレモータからの熱を装置外に伝達させ得るように構成された貫通する開口部を備え得る。装置は、ハンドピースアセンブリの頂部開口内に挿入され、デブリーダの上面の少なくとも一部分を形成するように構成され得る。駆動シャフトの第1の端部が、デブリーダ器具を解除可能に連結するための機械コネクタを備え得る。カニューレモータは、ハンドピースアセンブリ上の電気接触子に対する解消可能な電気接続を形成するように構成された電気接触子をさらに備え得る。
【００４７】
一例の方法が、フレームを用意するステップであって、フレームが、ユーザハンドル、モータ受けエリア、およびフレームを貫通してモータ受けエリア内に続く第1の開口部を備え、モータ受けエリアが、カニューレモータアセンブリを取外し可能に中に受けるように構成される、ステップと、第1の開口部の近傍においてフレームに対して第1のシールを連結するステップであって、第1のシールが、カニューレモータアセンブリがモータ受けエリア内に位置する場合に、カニューレモータアセンブリとフレームとの間にシールを形成するように構成される、ステップとを含み得る。
【００４８】
フレームの頂部が、フレームの頂部を通りモータ受けエリア内にカニューレモータアセンブリを挿入するための開口を備えてもよく、シールは、この開口への挿入によりフレームに対して連結され得る。フレームを用意するステップは、第1の開口部と同軸状に整列されたフレームを貫通する第2の開口部を備えるフレームを備えてもよく、これにより流体は、第1の開口部およびカニューレモータアセンブリの導管を通り第2の開口部から外に流れることが可能となる。この方法は、モータ受けエリアの近傍においてフレーム上に可動ラッチを連結するステップを含んでもよく、ラッチは、モータ受けエリア内にカニューレモータアセンブリを解除可能に保持するように構成され得る。可動ラッチは、フレームに対して第1の位置に向かってばね付勢され得る。可動ラッチは、貫通する導管を備えてもよく、この導管は、カニューレモータアセンブリがモータ受けエリア内に挿入された場合に、カニューレモータアセンブリの駆動シャフトを貫通する導管と整列されるように構成される。可動ラッチは、カニューレモータアセンブリがモータ受けエリア内に挿入された場合に、カニューレモータアセンブリと共にシールを形成するように構成された第2のシールをさらに備え得る。可動ラッチは、ラッチとフレームを貫通する第2の開口部との間にシールを形成する第3のシールを備え得る。この方法は、モータ受けエリアの近傍のフレーム上の電気接触子を接続させるステップをさらに含んでもよく、これらの電気接触子は、カニューレモータアセンブリがモータ受けエリア内に挿入された場合に、カニューレモータアセンブリ上の電気接触子と接触するように構成され得る。この方法は、フレームに対してカニューレモータアセンブリを取外し可能に連結するステップをさらに含んでもよく、カニューレモータアセンブリの駆動シャフトの一部分が、第1の開口部内に延在し得る。
【００４９】
一例の方法が、カニューレモータを用意するステップであって、カニューレモータが駆動シャフトを備え、駆動シャフトが、貫通する導管、およびデブリーダ器具を取外し可能に連結するように構成された駆動シャフトの第1の端部に位置するコネクタを有する、ステップと、カニューレモータ上にモータアセンブリハウジングを設けるステップであって、モータアセンブリハウジングが、カニューレモータがハンドピースの受けエリア内に位置する状態において、モータアセンブリハウジングを解除可能に取り付けるためにハンドピースのラッチにより接触されるように構成されたラッチを備える、ステップとを含み得る。
【００５０】
この方法は、カニューレモータがハンドピースの受けエリア内の電気接触子と解消可能な電気接続を形成することを可能にするように、カニューレモータに対して電気接触子を接続するステップをさらに含み得る。
【００５１】
一例の方法が、ハンドピースを用意するステップであって、ハンドピースがモータ受けエリアを形成するフレームを備え、フレームがフレームを貫通してモータ受けエリア内に続く第1の開口部を備え、フレームがユーザハンドルを備える、ステップと、モータ受けエリア内にカニューレモータアセンブリを挿入するステップであって、シールがカニューレモータアセンブリとハンドピースとの間に設けられ、カニューレモータアセンブリが可動ラッチによりハンドピースに対して取外し可能に保持される、ステップとを含み得る。
【００５２】
モータ受けエリア内にカニューレモータアセンブリを挿入するステップは、カニューレモータアセンブリが医用デバイスの上面の少なくとも一部分を形成するように、ハンドピースのフレームの頂部開口にカニューレモータアセンブリを挿入するステップを含み得る。ハンドピースを用意するステップは、フレーム上に可動ラッチを設けるステップを含んでもよく、モータ受けエリア内にカニューレモータアセンブリを挿入するステップは、モータ受けエリア内にカニューレモータアセンブリを解除可能に保持するように、ラッチがカニューレモータアセンブリ上にラッチ留めすることを含む。ラッチは、可動ラッチ上に第2のシールおよび第3のシールを備えてもよく、可動ラッチは、貫通する導管を備え、ラッチを貫通する導管は、カニューレモータアセンブリがモータ受けエリア内に挿入された場合に、カニューレモータアセンブリの駆動シャフトを貫通する導管と整列してもよく、第2のシールは、カニューレモータアセンブリがモータ受けエリア内に挿入された場合に、カニューレモータアセンブリと共にシールを形成してもよく、第3のシールは、フレームを貫通する第2の開口部にてフレームと共にシールを形成してもよい。ハンドピースを用意するステップは、ハンドピースのフレームがモータ受けエリア内に電気接触子を備えることを含んでもよく、モータ受けエリア内にカニューレモータアセンブリを挿入するステップは、カニューレモータアセンブリ上の電気接触子が、フレーム上の電気接触子と解消可能な電気接続を形成することを含んでもよい。
【００５３】
前述の説明は、例示に過ぎない点を理解されたい。様々な代替形態および修正形態が、当業者により考案され得る。例えば、様々な従属請求項に挙げられる特徴が、任意の適切な組み合わせにおいて相互に組み合され得る。さらに、上述の種々の実施形態による特徴は、新たな実施形態へと選択的に組み合され得る。したがって、この詳細な説明は、添付の特許請求の範囲内に含まれるすべてのかかる代替形態、修正形態、および変更形態を包含するように意図される。
【符号の説明】
【００５４】
10  装置
12  使い捨て型ハンドピースアセンブリ
14  再利用可能型カニューレモータアセンブリ
16  取外し可能/使い捨て型外科器具
17  チャネル、器具導管
18  ブレード
20  吸引導管
22  ケーブル
24  フレーム
26  可動ラッチ
28  電気接触子
30  ピストルグリップタイプ延在部
32  モータ受けエリア
34  第1の開口部
36  第2の開口部
38  ストレインリリーフ
40  チャネル
42  エリア
44  第1のシール
46  シールホルダ
48  開口部
50  エリア
52  サイドリップ
54  固定ラッチ
56  ねじ山部分
58  平滑ボア部分
60  フレーム
62  第2のシール
64  第3のシール
66  主要セクション
68  延在部
70  側方スライド
72  導管、チャネル
74  溝
76  表面
78  ラッチ表面
80  弾性カンチレバーばねレッグ
82  電気モータ
84  モータアセンブリハウジング
86  ハウジング
88  ステータ
90  駆動シャフト
92  チャネル
94  電気接触子
96  遠位端部
98  機械コネクタ
100  第1の端部ラッチ
102  第2の端部ラッチ
104  冷却穴
【図１】
2020124494.tif 000003
【図２】
2020124494.tif 000004
【図３】
2020124494.tif 000005
【図４】
2020124494.tif 000006
【図５】
2020124494.tif 000007
【図６】
2020124494.tif 000008
【外国語明細書】
2020124494000001.pdf